(57)【要約】複数のデータブロックが格納されたメディアが開示される。前記メディアは、ＤＶＤであってもよい。前記複数のデータブロックは、メディアプレイヤにおいて前記メディアを再生することによって視聴されることができる。第１命令集合は、前記メディアプレイヤに命令し、前記メディアの複数のデータブロックを予め決定された順序において再生する。さらに、第２命令集合は、前記メディアプレイヤに命令し、前記メディアの複数のデータブロックを、前記メディアの複数のデータブロックを再生する順序を決定するユーザコマンドに応じて再生する。
2006520058.tif 000002
【特許請求の範囲】
【請求項１】
デジタルビデオディスクのコンテンツを自動的に再生する方法において、
前記デジタルビデオディスクのコンテンツを配列にリンクするステップと、
予め決められたタイムアウトを有するメインメニューを与えるステップと、
前記予め決められたタイムアウトがユーザからの相互作用が何もなく経過した後、前記デジタルビデオディスクのコンテンツの再生を順次進めるステップとを含むことを特徴とする方法。
【請求項２】
請求項１に記載の方法において、前記デジタルビデオディスクの挿入に応じて、前記メインメニューの表示前に、少なくとも１つの予告編がユーザに表示されることを特徴とする方法。
【請求項３】
請求項１に記載の方法において、特徴プレゼンテーションの表示後に、少なくとも１つのスニークピークがユーザに表示されることを特徴とする方法。
【請求項４】
請求項１に記載の方法において、特徴プレゼンテーションの表示後に、少なくとも１つの削除シーンがユーザに表示されることを特徴とする方法。
【請求項５】
請求項１に記載の方法において、特徴プレゼンテーションの表示後に、ボーナス材料がユーザに表示されることを特徴とする方法。
【請求項６】
請求項１に記載の方法において、特徴プレゼンテーションの表示後に、静止画ギャラリーがユーザに表示されることを特徴とする方法。
【請求項７】
メディアプレイヤにおいてメディアを再生することによって視聴されることができる複数のデータブロックが格納されたメディアにおいて、
前記メディアプレイヤに命令し、該メディアの複数のデータブロックを予め決められた順序で再生する第１命令集合と、
前記メディアプレイヤに命令し、該メディアの複数のデータブロックを、該メディアの複数のデータブロックを再生する順序を決定するユーザコマンドに応じて再生する第２命令集合とを具えることを特徴とするメディア。
【請求項８】
請求項７に記載のメディアにおいて、前記第１命令集合又は前記第２命令集合のいずれが該メディアの複数のデータブロックを再生するのに使用されるのかを決定する命令集合セレクタをさらに具えることを特徴とするメディア。
【請求項９】
請求項８に記載のメディアにおいて、前記命令集合セレクタは、前記第１命令集合をデフォルト命令集合として使用することを特徴とするメディア。
【請求項１０】
請求項８に記載のメディアにおいて、前記命令集合セレクタは、前記第２命令集合をデフォルト命令集合として使用することを特徴とするメディア。
【請求項１１】
請求項８に記載のメディアにおいて、前記命令集合セレクタは、ユーザから入力を受け、前記第１命令集合又は前記第２命令集合に切り替えることを特徴とするメディア。
【請求項１２】
請求項７に記載のメディアにおいて、前記ユーザコマンドは、ユーザによってメニューから選択されることを特徴とするメディア。
【請求項１３】
請求項７に記載のメディアにおいて、該メディアはデジタルビデオディスクであることを特徴とするメディア。
【請求項１４】
請求項７に記載のメディアにおいて、前記メディアプレイヤはデジタルディスクプレイヤであることを特徴とするメディア。
【請求項１５】
請求項７に記載のメディアにおいて、前記メディアプレイヤは、該メディアの複数のデータブロックを表示することができるビデオディスプレイと共に動作可能であることを特徴とするメディア。
【請求項１６】
請求項７に記載のメディアにおいて、前記複数のデータブロックは少なくとも１つの映画を含むことを特徴とするメディア。
【請求項１７】
請求項７に記載のメディアにおいて、前記複数のデータブロックは少なくとも１つの予告編を含むことを特徴とするメディア。
【請求項１８】
請求項７に記載のメディアにおいて、前記複数のデータブロックはボーナス材料を含むことを特徴とするメディア。
【請求項１９】
請求項７に記載のメディアにおいて、前記複数のデータブロックは少なくとも１つのスニークピークを含むことを特徴とするメディア。
【請求項２０】
請求項７に記載のメディアにおいて、前記第１命令集合は、前記メディアプレイヤ内に収容されるコントローラに命令することを特徴とするメディア。
【請求項２１】
請求項７に記載のメディアにおいて、前記第２命令集合は、前記メディアプレイヤ内に収容されるコントローラに命令することを特徴とするメディア。
【請求項２２】
メディアの複数のデータブロックを再生する方法において、
前記メディアの複数のデータブロックを予め決められた順序で自動的に再生するステップと、
ユーザから入力を受けるのに応じて、前記予め決められた順序における前記メディアの複数のデータブロックの再生に割り込むステップと、
メニューをユーザに提供し、ユーザが、ユーザが視聴したい前記メディアの複数のデータブロックを選択できるようにするステップと、
ユーザが前記メニューから選択した前記メディアの複数のデータブロックを再生するステップとを含むことを特徴とする方法。
【請求項２３】
請求項２２に記載の方法において、該メディアはデジタルビデオディスクであることを特徴とする方法。
【請求項２４】
請求項２３に記載の方法において、前記デジタルビデオディスクの複数のデータブロックは、デジタルビデオディスクプレイヤを使用して再生されることを特徴とする方法。
【請求項２５】
請求項２２に記載の方法において、前記複数のデータブロックは少なくとも１つの映画を含むことを特徴とする方法。
【請求項２６】
請求項２２に記載の方法において、前記複数のデータブロックは少なくとも１つの予告編を含むことを特徴とする方法。
【請求項２７】
請求項２２に記載の方法において、前記複数のデータブロックはボーナス材料を含むことを特徴とする方法。
【請求項２８】
請求項２２に記載の方法において、前記複数のデータブロックは少なくとも１つのスニークピークを含むことを特徴とする方法。
【請求項２９】
メディアの複数のデータブロックをユーザフレンドリな方法で再生する方法において、
視聴すべき前記メディアの複数のデータブロックを選択するメニューをユーザに提供するステップと、
予め決められた期間内にユーザから視聴すべき前記メディアの複数のデータブロックを選択する入力を受けるのに応じて、前記メディアの複数のデータブロックを予め決められた順序で自動的に再生するステップとを含むことを特徴とする方法。
【請求項３０】
請求項２９に記載の方法において、前記予め決められた期間後にユーザから入力を受けるのに応じて、前記予め決められた順序における前記媒体の複数のブロックの再生に割り込むステップをさらに含むことを特徴とする方法。
【請求項３１】
請求項３０に記載の方法において、ユーザにメニューを提供し、ユーザが、ユーザが視聴したい前記メディアの複数のデータブロックか、又は、前記予め決められた順序における前記メディアの複数のデータブロックの視聴を続けることのいずれかを選択することができるようにするステップをさらに含むことを特徴とする方法。
【請求項３２】
請求項３１に記載の方法において、前記予め決められた順序における前記メディアの複数のデータブロックの再生は、前記割り込みの時点において再開することを特徴とする方法。
【請求項３３】
請求項３１に記載の方法において、ユーザが前記メニューから選択した前記メディアの複数のデータブロックを再生するステップをさらに含むことを特徴とする方法。
【請求項３４】
請求項３３に記載の方法において、ユーザが前記再生に割り込み、前記メニューを見る場合、前記割り込みの時点においてユーザが前記メニューから選択した前記メディアの複数のデータブロックの再生を再開するステップをさらに含むことを特徴とする方法。
【請求項３５】
メディアのコンテンツを表示するモードを再生する方法において、
命令の第１集合にしたがってメディアのコンテンツを第１モードにおいて表示するステップであって、前記命令の第１集合は、予め決められた順序において実行されるべき前記メディアのコンテンツの表示を命令する、ステップと、
ユーザ入力を受けるのに応じて第２モードを選択するステップであって、前記第２モードにおいて、ユーザは、表示すべき前記ＤＶＤのコンテンツをユーザ入力を通じて選択することができる、ステップと、
前記ユーザ入力を受けた後、命令の第２集合にしたがって前記メディアのコンテンツを前記第２モードにおいて表示するステップとを含むことを特徴とする方法。
【請求項３６】
請求項３５に記載の方法において、前記命令の第２集合は、ユーザが前記メディアのコンテンツを視聴する順序を決定することを可能にすることを特徴とする方法。
【請求項３７】
請求項３５に記載の方法において、前記メディアはデジタルビデオディスクであることを特徴とする方法。
【請求項３８】
請求項３５に記載の方法において、ユーザ割り込みは、メニューからの選択を行うことによって実行されることを特徴とする方法。
【請求項３９】
メディアに格納されたコンテンツを視聴する方法において、
前記メディアのデータブロックの第１集合を事前順序付け視聴モードにおいて自動的に再生するステップと、
ユーザからの入力を受けるのに応じて、前記事前順序付け視聴モードに割り込むステップと、
メニューをユーザに提供し、ユーザが前記事前順序付け視聴モード又は標準視聴モードのいずれかを選択できるようにするステップであって、ユーザは、データブロックの第２集合の部分集合を、前記標準視聴モードにおいて視聴するのに選択することができる、ステップと、
ユーザが前記事前順序付け視聴モードを選択する場合、前記事前順序付け視聴モードにおける前記割り込みの時点において前記データブロックの第１集合の再生を再開するステップと、
ユーザが、前記データブロックの第１集合と一致する前記データブロックの第２集合の部分集合を選択する場合、前記データブロックの第１集合における割り込みの時点において前記標準視聴モードにおける前記データブロックの第２集合の部分集合の再生を開始するステップと、
ユーザが前記データブロックの第１集合と一致しない前記データブロックの第２集合の部分集合を選択する場合、前記データブロックの第２集合の部分集合の始めにおいて前記標準視聴モードにおける前記データブロックの第２集合の部分集合の再生を開始するステップとを含むことを特徴とする方法。
【請求項４０】
請求項３９に記載の方法において、前記データブロックの第１集合は、警告、予告編、映画、ボーナスシーン及びスニークピークであることを特徴とする方法。
【請求項４１】
請求項４０に記載の方法において、前記データブロックの第２集合の部分集合は、映画であることを特徴とする方法。
【請求項４２】
請求項３９に記載の方法において、前記メディアは、デジタルビデオディスクであることを特徴とする方法。
【発明の詳細な説明】
【技術分野】
【０００１】
メディアに記憶されたデータを再生することに一般に関係するシステム及び方法が開示される。
【背景技術】
【０００２】
ＤＶＤ及びＤＶＤプレイヤは、比較的新しいが、きわめて急速に一般的になってきた。ＤＶＤ販売は、２００２年には合計４と３分の１かける１０億ドルになった。ＤＶＤ販売は増加し続け、２００６年までに個人消費がほぼ倍になると予測される。ＤＶＤの販売は、２００１年の個人消費の５２％から２００６年の個人消費の８３％まで成長するように予期される。
【発明の開示】
【発明が解決しようとする課題】
【０００３】
しかしながら、多くの子供はＤＶＤプレイヤを操作することができないという調査も示されている。そういうものとして、ＤＶＤ形式で購入される家族又は子供の映画の割合は、ＤＶＤ形式で購入される他のカテゴリの映画の割合より低い。ＤＶＤを使用することにおける困難のいくつかは、ＤＶＤ中への挿入に応じてユーザが種々の機能を選択することを可能にするメインメニューにあるかもしれない。ユーザは、前記メニューを、ＤＶＤにおける映画を再生するために、遠隔制御、又は、プレイヤにおいて配置されるボタンによって、前記メニューをナビゲートしなければならない。子供は、どのように前記遠隔制御を使用するのかを知らないかもしれず、ＤＶＤを再生する適切な機能の場所を見つけることができないかもしれない。大人たちでさえ、このメニューシステムがわずらわしいと思う。加えて、ＤＶＤの再生は、年配者や障碍者にとってかなり難しいかもしれない。
【０００４】
さらに、ＶＨＳオーナの７６％に比較して、ＤＶＤオーナの６２％のみが、予告編又はプレビューを少なくとも数回見ているという調査も示されている。加えて、ファミリータイトルは、１９９９年のＶＨＳ販売の４４％と比較して、２００３年の合計販売の２５％のみを表す。さらに、２００３年において、子供は、ＶＨＳテープにおいて格納された予告編より１４％少ないＤＶＤに格納された予告編を見ている。より低い予告編の視聴によって失われる広告の価値は、かなり大きく、従来のメディアに取って代わるのは困難である。
【課題を解決するための手段】
【０００５】
ある態様において、デジタルビデオディスクのコンテンツを自動的に再生する方法が開示される。この方法は、前記デジタルビデオディスクのコンテンツをある順序においてリンクする。さらに、この方法は、あらかじめ決められたタイムアウトを有するメインメニューを提供する。加えて、この方法は、前記予め決められたタイムアウトがユーザからのどのような相互作用もなしに経過した後、前記ＤＶＤのコンテンツの再生を始める。
【０００６】
他の態様において、複数のデータブロックを格納されたメディアが開示される。前記複数のデータブロックは、前記メディアをメディアプレイヤにおいて再生することによって視聴されることができる。第１命令集合は、前記メディアプレイヤに命令し、前記メディアの複数のデータブロックを予め決められた順序で再生する。さらに、第２命令集合は、前記メディアプレイヤに命令し、前記メディアの複数のデータブロックを再生する順序を決定するユーザコマンドに応じて前記メディアの複数のデータブロックを再生する。
【０００７】
依然として他の態様において、メディアの複数のデータブロックを再生する方法が開示される。この方法は、前記メディアの複数のデータブロックを、予め決められた順序で自動的に再生する。ユーザからの入力の受信に応じて、前記メディアは、前記予め決められた順序における前記メディアの複数のデータブロックの再生に割り込む。この方法は、メニューをユーザに提供し、ユーザが、ユーザが見たがる前記メディアの複数のデータブロックを再生できるようにする。最終的に、この方法は、ユーザが前記メニューから選択した前記メディアの複数のデータブロックを再生する。
【０００８】
他の態様において、メディアの複数のデータブロックをユーザフレンドリな方法で再生する方法が開示される。この方法は、視聴すべき前記メディアの複数のデータブロックを選択するメニューをユーザに提供する。予め決められた期間内にユーザからの視聴すべき前記メディアの複数のデータブロックを選択する入力を受信しないのに応じて、この方法は、前記メディアの複数のデータブロックを予め決められた順序で自動的に再生する。
【０００９】
依然として他の態様において、メディアに格納されたコンテンツを視聴する方法が開示される。この方法は、前記メディアのデータブロックの第１集合を事前順序付け視聴モードで自動的に再生する。ユーザからの入力の受信に応じて、この方法は、前記事前順序付け視聴モードに割り込む。さらに、この方法は、メニューをユーザに提供し、ユーザが、事前順序付け視聴モード又は標準視聴モードのいずれかを選択できるようにし、ユーザは、データブロックの第２集合を前記標準視聴モードで視聴するのに選択することができる。加えて、この方法は、ユーザが前記事前順序付け視聴モードを選択する場合、前記事前順序付け視聴モードにおける割り込みの時点において、前記データブロックの第１集合の再生を再開する。この方法は、ユーザが前記データブロックの第１集合と一致する前記データブロックの第２集合の部分集合を選択する場合、前記データブロックの第１集合における割り込みの時点において、前記標準視聴モードにおける前記データブロックの第２集合の部分集合の再生を開始する。この方法は、ユーザが前記データブロックの第１集合と一致しない前記データブロックの第２集合の部分集合を選択する場合、前記データブロックの第２集合の部分集合の始めにおいて、前記標準視聴モードにおける前記データブロックの第２集合の部分集合の再生を開始する。
【００１０】
例として、ここで添付した図面を参照する。
【発明を実施するための最良の形態】
【００１１】
よりユーザフレンドリなＤＶＤの再生方法及びシステムが開示される。ＤＶＤプレイヤは、ＤＶＤそれ自身に格納されるコンピュータ化された命令に従って動作することができる。ＤＶＤがＤＶＤプレイヤに挿入されると、前記ＤＶＤプレイヤに格納されたコントローラは、前記ＤＶＤから前記命令を読み出す。前記コントローラは、次に、前記ＤＶＤに格納されたコンテントを再生する命令を発する。
【００１２】
一実施例において、２モードＤＶＤは、視聴者がＤＶＤを２つのモードにおいて視聴することを可能にする。第１モードは、標準ＤＶＤ視聴モードである。第２モードは、ユーザがＤＶＤをＤＶＤプレイヤに挿入する以外にＤＶＤと相互作用する必要がない事前順序付け視聴モードである。前記事前順序付け視聴モードは、ユーザがＤＶＤをＶＨＳテープと同じやり方で視聴することを可能にする。ユーザは、ＤＶＤのコンテンツを視聴するために、遠隔操作に触れる必要さえない。前記事前順序付け視聴モードは、プレビューの視聴順序、特徴プレゼンテーション、ボーナス材料、スニークピーク等に関する命令の集合をＤＶＤプレイヤに供給する。一実施例において、前記事前順序付け視聴の終了において、前記事前順序付け視聴は、前記事前順序付け視聴コンテンツの始めにループして戻り、前記事前順序付け視聴が反復されるようにする命令を含む。
【００１３】
一実施例において、前記事前順序付け視聴モードはデフォルトモードである。ユーザが前記標準ＤＶＤ視聴モードを使用したければ、ユーザは前記事前順序付け視聴モードに割り込み、前記標準ＤＶＤ視聴モードからの選択を行うことができる。前記２モードＤＶＤは、ユーザがＤＶＤをインタラクティブ式に又は非インタラクティブ式に視聴することを可能にする。依然として他の実施例において、前記標準ＤＶＤ視聴モードはデフォルトモードである。
【００１４】
他の実施例において、多モードＤＶＤが使用されることができる。すなわち、前記ＤＶＤは３モード以上を有することができる。依然として他の実施例において、２モード構成は、当業者によって理解されるであろうビデオ又はオーディオデータを格納する他のメディアと共に使用されることができる。
【００１５】
図１は、前記事前順序付け視聴モードがデフォルトモードの場合の前記２モード構成の前記事前順序付け視聴モードと前記標準ＤＶＤ視聴モードとの間で選択するプロセス１００を例示する。プロセスブロック１０２において、ＤＶＤはＤＶＤプレイヤに挿入される。前記ＤＶＤが前記ＤＶＤプレイヤに挿入された後、前記ＤＶＤは自動的に再生を開始する。プロセスブロック１０４において、前記ＤＶＤはプレオーダー視聴モードにある。前記事前順序付け視聴モード中、プロセス１００は、決定ブロック１０６を周期的にチェックし、ユーザが前記ＤＶＤと相互作用したか否かを決定する。ユーザが前記ＤＶＤと相互作用していない場合、前記ＤＶＤは、前記事前順序付け視聴モードにおける再生を続ける。ユーザが前記ＤＶＤと相互作用している場合、前記ＤＶＤは、前記事前順序付け再生モードから前記標準ＤＶＤモードに切り替わる。一実施例において、前記標準ＤＶＤモードにおいて、ユーザに選択を行わせるメニューが表示される。依然として他の実施例において、ユーザが前記ＤＶＤと相互作用する場合、メニューが表示され、ユーザに、前記事前順序付け視聴モードを続けるか、又は、前記標準ＤＶＤモードに進むかの選択を与える。一実施例において、ユーザが前記事前順序付け視聴モードにおいて続けることを選択する場合、前記ＤＶＤは、事前順序付けシーケンスにおけるユーザが前記ＤＶＤと相互作用した時点において再生を再開する。一実施例において、ユーザは、ユーザが標準ＤＶＤ視聴フォーマットにおいて前記ＤＶＤと相互作用した時点において、前記ＤＶＤの再生を再開することもできる。他の実施例において、ユーザは、モードを切り替え、新たなモードにおいて前記ＤＶＤのコンテンツの再生を再開することができる。例えば、ユーザが映画を前記事前順序付けフォーマットにおいて視聴しており、前記ＤＶＤと相互作用してモードを前記標準視聴フォーマットに切り替える場合、ユーザは、視聴モードが前記標準視聴フォーマットに切り替えられているとしても、割り込みの時点から前記映画の視聴を再開することができる。したがって、前記２モード構成は、２モード再開機能を提供することができる。
【００１６】
ユーザが新たなモードにおいて視聴したいデータが、ユーザが元のモードにおいて視聴したデータの部分集合である場合、ユーザは前記部分集合の視聴を再開することができる。前記部分集合は、映画のような特徴プレゼンテーションに限定されない。前記部分集合は、予告編、スニークピーク、又は、ＤＶＤに格納される任意のデータコンテントであってもよい。
【００１７】
他の実施例において、前記ＤＶＤ視聴モードはデフォルトモードである。一実施例において、ユーザが前記標準視聴モードにおいて前記ＤＶＤと相互作用しない場合、前記事前順序付け視聴モードが自動的に開始するような予め決められた時間量の後、タイムアウトが生じる。例えば、前記タイムアウトは１５秒であってもよい。任意の予め決められた時間量が前記タイムアウトに関して使用されることができる。
【００１８】
図２は、前記標準ＤＶＤ視聴モードがデフォルトモードである場合の、前記２モード構成の前記事前順序付け視聴モードと前記標準ＤＶＤ視聴モードとの間で選択するプロセス２００を例示する。プロセスブロック２０２において、前記ＤＶＤは前記ＤＶＤプレイヤに挿入される。プロセスブロック２０４において、前記ＤＶＤは、前記標準視聴モードにおいて視聴される。したがって、前記標準視聴モードは、ユーザが前記ＤＶＤと相互作用することを要求する。プロセス２００は、決定ブロック２０６を周期的にチェックし、タイムアウトが生じたかどうかを見つける。前記タイムアウトは、任意の時間期間であってもよい。ユーザが、前記時間期間が終わる前にメニュー選択を行った場合、タイムアウトは存在せず、前記ＤＶＤは、プロセスブロック２０４において、標準ＤＶＤ視聴モードにおいて再生する。しかしながら、前記タイムアウトが決定ブロック２０６において生じる場合、プロセス２００はプロセスブロック２０８に進み、前記ＤＶＤは事前順序付け視聴モードにおいて再生する。
【００１９】
当業者は、前記事前順序付け視聴モード又は前記標準ＤＶＤ視聴フォーマットのいずれかにおいて視聴するために前記ＤＶＤのコンテンツを格納及びアクセスする種々の方法を理解するであろう。例えば、各々のモードは、前記ＤＶＤに格納されたコンテンツにアクセスする命令及びポインタの集合を含むことができる。前記標準視聴フォーマットは、ユーザ入力に基づく前記ＤＶＤのコンテンツへの命令及びポインタを含むことができる。さらに、前記事前順序付け視聴フォーマットは、前記ＤＶＤにおけるコンテンツの事前順序付け視聴に関する命令及びポインタの順序付けされた集合を含むことができる。他の実施例において、前記ＤＶＤのコンテンツは、前記ＤＶＤにおいて各々の視聴フォーマットにしたがって多数回格納されることができる。当業者は、各々の視聴フォーマットに関する任意の他の最適な格納及びアクセス方法を理解するであろう。
【００２０】
上述したモードの選択は、命令集合セレクタによって行われることができる。一実施例において、前記ＤＶＤにおいて格納される、デフォルトモード及び異なったモード間を切り替えるルールを設定するコンピュータコードは、前記命令集合セレクタであってもよい。他の実施例において、前記命令集合セレクタは、ユーザがどのモードがデフォルトモードなのかを決定する視覚的メニューであってもよい。一実施例において、ユーザは、視覚的表示を使用し、前記モード間を選択するルールを設定することもできる。他の実施例において、前記命令集合セレクタは、ユーザが、前記ＤＶＤプレイヤに動作可能に接続されるか、動作可能に統合される物理的装置を介してデフォルトモード及び／又はルールを入力する、物理的入力装置であってもよい。
【００２１】
図３は、ＤＶＤのコンテンツを標準視聴フォーマットにおいて表示する命令が前記ＤＶＤにおいて格納される実施例を例示する。一実施例において、警告３０２が表示される。警告３０２は、ＦＢＩ警告であってもよい。警告３０２は、使用に関する制限を含むこともできる。次に予告編３０４が表示される。予告編３０４は、映画プレビューを含むことができる。さらに、予告編３０４は、広告を含むことができる。予告編３０４が表示された後、メインメニュー３０６が表示され、ユーザが前記ＤＶＤと相互作用し、視聴選択を行えるようになる。一実施例において、予告編３０４の後に、メインメニュー３０６が表示される前に、追加の予告編３０４が続く。
【００２２】
メインメニュー３０６は、当業者によって既知の任意のビデオディスプレイにおいて表示されることができる。一実施例において、メインメニュー３０６は、再生ボタン３０８と、シーン選択ボタン３１０と、設定ボタン３１２と、ボーナス材料ボタン３１４と、スニークピークボタン３１６とを表示する。ユーザは、当業者に既知の、メニュー選択を行う任意のメカニズムを使用することができる。ユーザは、遠隔制御、ＤＶＤプレイヤにおいて配置されるボタン、スクリーンに触ることによってユーザが選択を行うことを可能にするタッチスクリーンボタン、マウスポインタ等を使用することができる。
【００２３】
ユーザは、再生ボタン３０８を押し、特徴プレゼンテーション３１８を再生することができる。したがって、特徴プレゼンテーション３１８は映画であってもよい。ユーザは、シーン選択ボタン３１０を押し、特徴プレゼンテーション３１８の個々のシーンを視聴することができる。ユーザがシーン選択ボタン３１０を押した後、ユーザは、複数のシーン３２２から使用するものを選択することができる。ユーザは、シーン選択メインメニューボタンを押し、メインメニュー３０６に戻ることができる。
【００２４】
ユーザは、メインメニュー３０６における設定ボタン３１２を押し、視聴に関する種々の設定を選択することができる。一実施例において、設定メニュー３２４は、ユーザに、会話言語ボタン３２６と、キャプション／サブタイトルボタン３２８と、映画に戻るボタン３３０とを提供する。会話言語ボタン３２６は、ユーザが異なった言語において特徴プレゼンテーション３１８を視聴することを可能にする。さらに、キャプション／サブタイトルボタン３２８は、ユーザが、特徴プレゼンテーション３１８をキャプション及び／又はサブタイトルと共に視聴することを可能にする。加えて、キャプション／サブタイトルボタン３２８は、ユーザに、クローズドキャプションに関する選択を与えることができる。一実施例において、ユーザは、ワイドスクリーン又はフルスクリーンのような異なった視聴オプションを選択することができる。最終的に、ユーザは、映画に戻るボタン３３０を押すことによって、特徴プレゼンテーション３１８に戻ることができる。
【００２５】
加えて、ユーザは、メインメニュー３０６におけるボーナス材料ボタン３１４を押し、種々のボーナス材料を視聴することができる。前記ボーナス材料は、アウトテイク及び失敗、ゲーム、視覚的ツアー、百科事典、水族館、カラオケ、音楽ビデオのメイキング、舞台裏の場面、映画の撮影場面の裏側、映画制作者の解説、レコーディングセッション等を含むことができる。一実施例において、ボーナス材料メニュー３３２は、フィーチャレットボタン３３４と、ゲームボタン３３６と、マルチアングルボタン３３８と、静止画ギャラリーボタン３４０と、音声解説ボタン３４２と、メインメニューボタン３４４とを含む。ボーナス材料メニュー３３２は、他の形式のボーナス材料を視聴する選択を含むことができる。ユーザは、フィーチャレットボタン３３４を押し、フィーチャレットを視聴することができる。さらに、ユーザは、ゲームボタン３３６を押し、ゲームをプレイすることができる。加えて、ユーザは、マルチアングルボタン３３８を押し、シーンの一部、シーン、複数のシーン、又は、特徴プレゼンテーション３１８全体を視聴することができる。さらに、ユーザは、音声解説ボタン３４２を押し、特徴プレゼンテーション３１８中に解説を聞くこともできる。最終的に、ユーザは、ボーナス材料メインメニューボタン３４４を押し、メインメニュー３０６に戻ることができる。
【００２６】
ユーザは、メインメニュー３０６におけるスニークピークボタン３１６を押し、複数のスニークピーク３４８を視聴することもできる。ユーザは、次に、スニークピークメインメニューボタン３５０を押すことによって、メインメニュー３０６に戻ることができる。
【００２７】
図４は、ＤＶＤのコンテンツを事前順序付け視聴フォーマットにおいて表示する命令がＤＶＤに格納される実施例を例示する。一実施例において、前記ＤＶＤにおけるコンテンツは、以下の順序において表示されることができる。警告４０２が表示される。一実施例において、複数の警告が表示される。予告編４０４が警告４０２に続く。一実施例において、複数の予告編が表示される。特徴プレゼンテーション４０６が予告編４０４に続く。一実施例において、次に、音楽ビデオリスト４０８が表示され、ユーザに、出現順に表示される音楽ビデオの情報を知らせる。一実施例において、前記音楽ビデオのリスト化は、タグイメージファイルフォーマット（ＴＩＦＦ）カードの使用によって行われる。次に、複数の音楽ビデオ４１０が表示される。代わりの実施例において、複数の音楽ビデオ４１０は、音楽ビデオ４１０の表示前に、表示すべき前記ビデオをリスト化することなく、表示される。一実施例において、削除シーンリスト４１２が表示され、ユーザに、出現順に表示される削除シーンを知らせる。次に、複数の削除シーン４１４が表示される。一実施例において、フィーチャレットリスト４１６が表示され、ユーザに、出現順に表示されるフィーチャレットを知らせる。次に、複数のフィーチャレット４１８が表示されることができる。一実施例において、スニークピークリストが次に表示され、ユーザに、出現順に表示されるスニークピークを知らせる。次に、複数のスキークピーク４２２が表示される。当業者は、上述した複数の任意のコンテンツ、例えば、複数の音楽ビデオ４１０が、個々の音楽ビデオ４１０のような個々のデータブロックを含むことを理解するであろう。当業者は、前記事前順序付け視聴フォーマットが、表示すべき前記ＤＶＤのコンテンツの一部に関するリストのみを有してもよいことも理解するであろう。同様に、前記事前順序付け視聴フォーマットは、表示すべき前記ＤＶＤのコンテンツのいずれに関するリストも持たなくてもよい。
【００２８】
一実施例において、ユーザに利用可能なインタラクティブセグメントリスト４２４が次に表示される。標準ボーナスメニュー４２６が次に表示される。決定ブロック４２８は、前記標準ボーナス材料が表示された後の所定の期間内になにかユーザ動作があったかどうかを決定する。ユーザが前記ボーナス材料を選択すると、ボーナス材料メニュー３３２と同様のボーナスメニュー４３０が表示される。いくつかの構成において、前記事前順序付け視聴フォーマットは、前記ＤＶＤにおいて格納されたすべてのコンテンツの配列された順序付けである。他の構成において、前記事前順序付け視聴フォーマットは、前記ＤＶＤに格納されたコンテンツのいくつかの配列された順序付けである。前記事前順序付け視聴フォーマット中に表示されないインタラクティブセグメント（図示せず）に関するボタンが表示されることができる。
【００２９】
一実施例において、ユーザが所定の期間内に選択を行わない場合、タイムアウトが生じ、前記ＤＶＤは、警告４０２にループして戻り、前記ＤＶＤを再び再生する。他の実施例において、ユーザが選択を行わない場合、タイムアウトが生じ、高速再生メインメニュー４３２が表示される。用語「高速再生」は、前記事前順序付け視聴モードを示すのに使用される。当業者は、種々の用語を使用し、前記事前順序付け視聴モードを示すことができることを理解するであろう。高速再生メインメニュー４３２は、ユーザに、前記ＤＶＤを前記高速再生モード又は標準ＤＶＤ視聴モードのいずれにおいて視聴するかの選択を与える。ユーザは、高速再生ボタン４３４を押すことによって、前記ＤＶＤを前記高速再生モードにおいて視聴することができる。ユーザが選択を行う前に前記高速再生についてより学習したい場合、ユーザは、高速再生についてボタン４３６を押し、高速再生についての情報を見る又は聞くことができる。他方において、ユーザが映画を前記標準ＤＶＤ視聴フォーマットにおいて視聴したい場合、ユーザは映画（標準）再生ボタン４３８を押すことができる。ユーザは、シーン選択ボタン４４０を押し、異なったシーンを視聴することもでき、設定ボタン４４２を押し、設定を調節することもでき、ボーナス材料ボタン４４４を押し、ボーナス材料を視聴することもでき、又は、スニークピークボタン４４６を押し、スニークピークを視聴することもできる。一実施例において、ユーザが所定の期間内にメインメニュー４３２から選択を行わない場合、タイムアウトが生じ、前記ＤＶＤは、警告４０２にループして戻ることによって、高速プレイモードにおいて再生する。前記ＤＶＤは、次に、前記事前順序付け視聴フォーマットにおいて表示され続ける。
【００３０】
前記事前順序付け視聴フォーマットは、上述した配列に限定されない。むしろ、前記事前順序付け視聴フォーマットは、表示される前記ＤＶＤのコンテンツの順序におけるバリエーションを含むことができる。
【００３１】
図５は、命令集合選択システム５００が前記ＤＶＤのコンテンツを視聴するモードを選択する実施例を例示する。モードセレクタ５０２は、視聴モードが、事前順序付けモード５０４又は標準モード５０６のどちらであるかを決定する。モードセレクタ５０２は、事前順序付けモード５０４又は標準モード５０６のいずれかをデフォルトモードとして設定することができる。さらに、ユーザは、モードセレクタ５０２に要求を提出し、モードを変更することができる。ユーザは、前記要求を、遠隔制御のボタンを押すことによって、又は、前記ＤＶＤプレイヤのハウジングにおいて配置されるボタンを押すことによって、メニュー選択を経て提出することができる。モードセレクタ５０２は、視聴モードを設定することができ、ある視聴モードから他の視聴モードに切り替えることができる、ソフトウェア構成、ハードウェア構成、又は、ソフトウェア及ハードウェア構成であってもよい。当業者は、モードセレクタ５０２が前記事前順序付けモード及び前記標準モードに限定されず、多数の他のモードを包含してもよいことを理解するであろう。
【００３２】
前記モードセレクタが前記事前順序付けモードを視聴モードとして設定すると、ユーザは、前記ＤＶＤに格納されたコンテンツの配列を、前記ＤＶＤと相互作用することなく、自動的に視聴することができる。一実施例において、前記事前順序付けモードは設定され、予告編５０８、映画５１０、ボーナス材料５１２、ゲーム５１４及びスニークピーク５１６を再生する。前記配列のコンテンツは、前記ＤＶＤに格納されたコンテンツの一部であってもよく、前記ＤＶＤに格納されたコンテンツの全体であってもよい。前記コンテンツの一部が前記事前順序付けモードに関して選択される場合、前記選択は、消費者ベース調査を含むがこれに限定されない任意の数の因子に基づくことができる。例えば、特定のボーナス材料は、ユーザが視聴したいボーナス材料の形式に関する消費者ベース調査に従って選択されることができる。一実施例において、前記消費者ベース調査は、人口統計に基づくことができる。前記事前決定モードにおけるコンテンツの実際の順序付けも、消費者ベース調査に基づくことができる。人口統計は、前記事前決定モードにおけるコンテンツの順序付けを決定するのにも使用されることができる。
【００３３】
モードセレクタ５０２によって選択されるモードが標準モード５０６である場合、予告編５１８が表示され、メインメニュー５２０が続く。ユーザは、映画再生ボタン５２２、チャプタ選択５２４、すべてのボーナス材料ボタン５２６、設定ボタン５２８、又は、スニークピークボタン５３０をメインメニュー５２０から選択することができる。当業者は、メインメニュー５２０がユーザが前記ＤＶＤのコンテンツを視聴することを可能にする種々の他のボタンを表示できることを理解するであろう。
【００３４】
上述した２モード構成は、複数のメディアに格納されたコンテンツと共に使用されることができる。例えば、前記２モード構成は、２ディスクボックスセットのような多ＤＶＤセットと共に使用されることができる。前記ＤＶＤプレイヤが一度に１枚のＤＶＤのみを収容する場合、ユーザは第２のＤＶＤを挿入する必要があるかもしれない。一実施例において、前記配列の終了後、第２ＤＶＤを挿入する命令が表示されることができる。他の実施例において、前記命令は、音声メッセージによって聞かれることができる。一実施例において、前記ＤＶＤプレイヤは、多数のＤＶＤを収容することができる。前記２モード構成の事前決定モードは、前記ボックスセットにおける次のＤＶＤに移動し、前記次のＤＶＤを自動的に再生する命令を有し、ユーザが前記ボックスセットのＤＶＤを前記ＤＶＤプレイヤに挿入する以外の追加の相互作用をなにもする必要がないようにする。さらに、前記標準視聴モードも、前記ボックスセットにおける次のＤＶＤに移動し、前記次のＤＶＤを自動的に再生する命令を有することができる。一実施例において、前記ＤＶＤボックスセットにおける複数のＤＶＤにおける異なったコンテンツに関するインデックスが供給され、ユーザが、前記標準視聴モードを使用したい場合、前記ＤＶＤを通じて適切にナビゲートできるようになる。
【００３５】
さらに、上述した２モード構成は、より古いＤＶＤシステムと共に使用されることができる。一実施例において、前記２モード構成はＤＶＤそれ自身に格納されることができるため、新しいＤＶＤハードウェアは必要ない。前記２モード構成は、より古いＤＶＤプレイヤに命令し、前記事前決定モード又は前記標準モードのいずれかにおいて再生することができる。加えて、前記２モード構成は、異なった形式のＤＶＤプレイヤにおいてＤＶＤと共に使用されることができる。例えば、前記２モード構成は、自動車又は他の形式の輸送機関のリアシートにおいて配置されるＤＶＤプレイヤに挿入されるＤＶＤと共に使用されることができる。前記２モード構成は、任意のサイズのＤＶＤプレイヤに挿入されるＤＶＤと共に使用されることができる。さらに、前記２モード構成は、任意の場所に配置される、任意の他の電子装置と統合される、又は、任意の他の可能な視聴領域に統合されるＤＶＤプレイヤに挿入されるＤＶＤと共に使用されることができる。加えて、前記２モード構成は、データ記憶における任意の進歩と共に使用されることができる。
【００３６】
上記記載は多くの詳細を含むが、これらは本発明の範囲における制限として解釈されるべきではなく、むしろその好適実施例の例示として解釈されるべきである。本発明は、ここに開示される異なった種類及び／又は特徴からの要素の任意の組み合わせ又は副組み合わせを含む。当業者は、これらの特徴と、したがって本発明の範囲とは、請求項及びその任意の等価物に照らして解釈されるべきであることを理解するであろう。
【図面の簡単な説明】
【００３７】
【図１】図１は、事前順序付け視聴モードがデフォルトモードの場合の２モード構成の事前順序付け視聴モードと標準ＤＶＤ視聴モードとの間で選択するプロセスを例示する。
【図２】図２は、標準ＤＶＤ視聴モードがデフォルトモードである場合の２モード構成の事前順序付け視聴モードと標準ＤＶＤ視聴モードとの間で選択するプロセスを例示する。
【図３】図３は、ＤＶＤのコンテンツを標準視聴フォーマットにおいて表示する命令が前記ＤＶＤにおいて格納される実施例を例示する。
【図４】図４は、ＤＶＤのコンテンツを事前順序付け視聴フォーマットにおいて表示する命令がＤＶＤに格納される実施例を例示する。
【図５】図５は、命令集合選択システムがＤＶＤのコンテンツを視聴するモードを選択する実施例を例示する。
【図１】
2006520058.tif 000003
【図２】
2006520058.tif 000004
【図３】
2006520058.tif 000005
【図４】
2006520058.tif 000006
【図５】
2006520058.tif 000007
【国際調査報告】
2006520058.tif 000008